(57)【要約】【課題】敷居間閉塞体の取付位置を容易に確認することができるエレベーターの乗場ドア用インターロックの位置確認装置を提供する。【解決手段】エレベーターの乗場ドア用インターロックの位置確認装置は、エレベーターのかごにおいて出入口よりも下方の位置に対して着脱自在に設けられ、前記かごとともに鉛直方向に移動した際に前記エレベーターの乗場の出入口に設けられた乗場ドアのインターロックにおいて前記乗場の敷居よりも昇降路の側に突き出した部分の水平方向の位置を検出する突出部分検出体、を備えた。【選択図】図２
2020164288.tif 000002
【特許請求の範囲】
【請求項１】
エレベーターのかごにおいて出入口よりも下方の位置に対して着脱自在に設けられ、前記かごとともに鉛直方向に移動した際に前記エレベーターの乗場の出入口に設けられた乗場ドアのインターロックにおいて前記乗場の敷居よりも昇降路の側に突き出した部分の水平方向の位置を検出する突出部分検出体、
を備えたエレベーターの乗場ドア用インターロックの位置確認装置。
【請求項２】
前記突出部分検出体は、前記乗場の側に突き出すように水平方向に並び、前記かごとともに鉛直方向に移動した際に前記インターロックにおいて前記乗場の敷居よりも昇降路の側に突き出した部分と接触した際に倒れた状態に維持される複数のピン、
を備えた請求項１に記載のエレベーターの乗場ドア用インターロックの位置確認装置。
【請求項３】
前記突出部分検出体は、前記乗場の側に検出範囲が向くように水平方向に並び、前記かごとともに鉛直方向に移動した際に前記インターロックにおいて前記乗場の敷居よりも昇降路の側に突き出した部分を検出する複数のセンサ、
を備えた請求項１に記載のエレベーターの乗場ドア用インターロックの位置確認装置。
【請求項４】
前記かごの出入口の下方に設けられた前垂れに磁力により吸着する磁力発生体、
を備え、
前記突出部分検出体は、前記磁力発生体において前記乗場の側に設けられた請求項１から請求項３のいずれか一項に記載のエレベーターの乗場ドア用インターロックの位置確認装置。
【請求項５】
請求項１から請求項４のいずれか一項に記載の位置確認装置を前記かごにおいて出入口よりも下方の位置に取り付ける位置確認装置取付工程と、
前記位置確認装置取付工程の後、前記かごを鉛直方向に移動させて前記乗場を通過させるかご移動工程と、
前記かご移動工程の後、水平投影面上において前記位置確認装置が検出した前記インターロックの位置を避けた位置で前記乗場の敷居と前記かごの敷居と隙間を閉塞するように前記エレベーターの乗場の側から乗場ドアを開いて敷居間閉塞体を前記かごの出入口の下方に取り付ける敷居間閉塞体取付工程と、
をエレベーターの敷居間閉塞体の取付方法。
【請求項６】
前記かご移動工程は、前記かごを最下階から最上階の一方から前記最下階から前記最上階の他方へ移動させた後に前記最下階から前記最上階の他方から前記かごを最下階から最上階の一方へ移動させる工程、
を備えた請求項５に記載のエレベーターの敷居間閉塞体の取付方法。
【請求項７】
前記敷居間閉塞体取付工程は、
前記位置確認装置の下方または上方において前記敷居間閉塞体を一時的に仮固定する敷居間閉塞体仮固定工程と、
前記敷居間閉塞体仮固定工程の後、前記位置確認装置が検出した前記インターロックの位置よりも予め設定された寸法だけ水平方向の両側に離れた位置において前記敷居間閉塞体にマーキングを施すマーキング工程と、
前記マーキング工程の後、前記敷居間閉塞体を前記マーキングの位置で切断する敷居間閉塞体切断工程と、
前記敷居間閉塞体切断工程の後、前記敷居間閉塞体において前記マーキングよりも外側の部分を水平投影面上において前記インターロックの位置を避けた位置に本固定する敷居間閉塞体本固定工程と、
を備えた請求項５または請求項６に記載のエレベーターの敷居間閉塞体の取付方法。
【発明の詳細な説明】
【技術分野】
【０００１】
この発明は、エレベーターの乗場ドア用インターロックの位置確認装置および敷居間閉塞体の取付方法に関する。
【背景技術】
【０００２】
特許文献１は、エレベーターの敷居間閉塞体を開示する。当該敷居間閉塞体は、エレベーターの乗場敷居とかご敷居との間を閉塞する。
【先行技術文献】
【特許文献】
【０００３】
【特許文献１】特開昭６３−４５７６５号公報
【発明の概要】
【発明が解決しようとする課題】
【０００４】
しかしながら、特許文献１に記載の敷居間閉塞体においては、乗場ドアのインターロックにおいて乗場の敷居よりも昇降路の側に突き出した部分との接触を避ける必要がある。このために、敷居間閉塞体の取付位置の調整が必要となる。
【０００５】
この発明は、上述の課題を解決するためになされた。この発明の目的は、敷居間閉塞体の取付位置を容易に確認することができるエレベーターの乗場ドア用インターロックの位置確認装置および敷居間閉塞体の取付方法を提供することである。
【課題を解決するための手段】
【０００６】
この発明に係るエレベーターの乗場ドア用インターロックの位置確認装置は、エレベーターのかごにおいて出入口よりも下方の位置に対して着脱自在に設けられ、前記かごとともに鉛直方向に移動した際に前記エレベーターの乗場の出入口に設けられた乗場ドアのインターロックにおいて前記乗場の敷居よりも昇降路の側に突き出した部分の水平方向の位置を検出する突出部分検出体、を備えた。
【０００７】
この発明に係るエレベーターの敷居間閉塞体の取付方法は、前記位置確認装置を前記かごにおいて出入口よりも下方の位置に取り付ける位置確認装置取付工程と、前記位置確認装置取付工程の後、前記かごを鉛直方向に移動させて前記乗場を通過させるかご移動工程と、前記かご移動工程の後、水平投影面上において前記位置確認装置が検出した前記インターロックの位置を避けた位置で前記乗場の敷居と前記かごの敷居と隙間を閉塞するように前記エレベーターの乗場の側から乗場ドアを開いて敷居間閉塞体を前記かごの出入口の下方に取り付ける敷居間閉塞体取付工程と、を備えた。
【発明の効果】
【０００８】
これらの発明によれば、突出部分検出体は、乗場ドアのインターロックにおいて前記乗場の敷居よりも昇降路の側に突き出した部分の水平方向の位置を検出する。このため、敷居間閉塞体の取付位置を容易に確認することができる。
【図面の簡単な説明】
【０００９】
【図１】実施の形態１におけるエレベーターの乗場ドア用インターロックの位置確認装置が適用されるエレベーターの構成図である。
【図２】実施の形態１におけるエレベーターの乗場ドア用インターロックの位置確認装置が適用されるエレベーターの乗場ドアを昇降路の側から見た際の正面図である。
【図３】実施の形態１におけるエレベーターの乗場ドア用インターロックの位置確認装置が適用されるエレベーターの要部の平面図である。
【図４】実施の形態１におけるエレベーターの乗場ドア用インターロックの位置確認装置が適用されるエレベーターの敷居間閉塞体の分解斜視図である。
【図５】実施の形態１におけるエレベーターの乗場ドア用インターロックの位置確認装置の斜視図である。
【図６】実施の形態１におけるエレベーターの乗場ドア用インターロックの位置確認装置が適用されるエレベーターの構成図である。
【図７】実施の形態１におけるエレベーターの乗場ドア用インターロックの位置確認装置が適用されるエレベーターの構成図である。
【図８】実施の形態１におけるエレベーターの乗場ドア用インターロックの位置確認装置が適用されるエレベーターの構成図である。
【図９】実施の形態１におけるエレベーターの乗場ドア用インターロックの位置確認装置が適用されるエレベーターの要部の正面図である。
【図１０】実施の形態１におけるエレベーターの乗場ドア用インターロックの位置確認装置が適用されるエレベーターの要部の正面図である。
【図１１】実施の形態１におけるエレベーターの乗場ドア用インターロックの位置確認装置が適用されるエレベーターの要部の正面図である。
【発明を実施するための形態】
【００１０】
この発明を実施するための形態について添付の図面に従って説明する。なお、各図中、同一または相当する部分には同一の符号が付される。当該部分の重複説明は適宜に簡略化ないし省略される。
【００１１】
実施の形態１．
図１は実施の形態１におけるエレベーターの乗場ドア用インターロックの位置確認装置が適用されるエレベーターの構成図である。
【００１２】
図１のエレベーターにおいて、昇降路１は、図示されない建築物の各階を貫く。機械室２は、昇降路１の直上に設けられる。複数の乗場３の各々は、建築物の各階に設けられる。複数の乗場３の各々は、昇降路１に対向する。
【００１３】
巻上機４は、機械室２に設けられる。主ロープ５は、巻上機４に巻き掛けられる。
【００１４】
かご６は、昇降路１の内部に設けられる。かご６は、主ロープ５の一側に吊るされる。釣合おもり７は、昇降路１の内部に設けられる。釣合おもり７は、主ロープ５の他側に吊るされる。
【００１５】
複数の乗場敷居８の各々は、複数の乗場３の各々における出入口の下縁部に設けられる。複数の乗場ドア９の各々は、複数の乗場３の各々の出入口において乗場敷居８に案内される。かご敷居１０は、かご６における出入口の下縁部に設けられる。前垂れ１１は、かご６の下部においてかご敷居１０よりも下方に設けられる。かごドア１２は、かご６の出入口においてかご敷居１０に案内される。
【００１６】
敷居間閉塞体１３は、かご６の出入口より下方に設けられる。例えば、敷居間閉塞体１３は、かご敷居１０の直下において前垂れ１１に固定される。敷居間閉塞体１３は、水平投影面上において乗場敷居８とかご敷居１０との隙間とを閉塞し得るように設けられる。
【００１７】
制御装置１４は、機械室２に設けられる。制御装置１４は、巻上機４とかご６の機器とに電気的に接続される。制御装置１４は、エレベーターを全体的に制御し得るように設けられる。
【００１８】
次に、図２と図３とを用いて、乗場ドア９と敷居間閉塞体１３とを説明する。
図２は実施の形態１におけるエレベーターの乗場ドア用インターロックの位置確認装置が適用されるエレベーターの乗場ドアを昇降路の側から見た際の正面図である。図３は実施の形態１におけるエレベーターの乗場ドア用インターロックの位置確認装置が適用されるエレベーターの要部の平面図である。
【００１９】
図２に示されるように、乗場ドア９は、一対のパネル１５と一対のドアハンガー１６とインターロック１７とを備える。
【００２０】
一対のパネル１５は、乗場３の出入口を開閉するように乗場敷居８に案内される。一対のドアハンガー１６の一方は、一対のパネル１５の一方を吊る。一対のドアハンガーの他方は、一対のパネル１５の他方を吊る。
【００２１】
インターロック１７は、一対のロック片１８と一対のつかみローラ１９とを備える。
【００２２】
一対のロック片１８の一方は、一対のドアハンガーの一方の先端部に設けられる。一対のロック片１８の他方は、一対のドアハンガーの他方の先端部に設けられる。一対のロック片１８は、一対のパネル１５が閉じている際に互いにかみ合う。一対のつかみローラ１９は、一対のロック片１８に設けられる。
【００２３】
図３に示されるように、水平投影面上において、一対のつかみローラ１９は、乗場３の敷居よりも昇降路１の側に突き出す。図３においては図示されないかご６が乗場３に到着し、かごドア１２が開き始めると、かごドア１２の図示されないベーンが一対のつかみローラ１９をつかむ。さらにかごドア１２が開く方向に移動すると、一対のロック片１８のかみ合いが解除される。さらに、かごドア１２が開く方向に移動すると、乗場ドア９は、かごドア１２とともに開く方向に移動する。
【００２４】
敷居間閉塞体１３は、水平投影面上において一対のつかみローラ１９を避けた位置で乗場敷居８とかご敷居１０との隙間を閉塞するようにかご６の出入口の下方に取り付けられる。
【００２５】
次に、図４を用いて、敷居間閉塞体１３を説明する。
図４は実施の形態１におけるエレベーターの乗場ドア用インターロックの位置確認装置が適用されるエレベーターの敷居間閉塞体の分解斜視図である。
【００２６】
図４に示されるように、敷居間閉塞体１３は、取付部１３ａと閉塞部１３ｂとを備える。
【００２７】
例えば、取付部１３ａは、金属で形成される。取付部１３ａは、かご６の前垂れ１１に固定される。例えば、閉塞部１３ｂは、金属で形成される。閉塞部１３ｂの鉛直部は、取付部１３ａの受入部に挿入され得るように設けられる。閉塞部１３ｂの水平部は、鉛直部が取付部１３ａの受入部に挿入された際に図４においては図示されない乗場３の側に突き出すように設けられる。
【００２８】
次に、図５を用いて、インターロック１７の位置の確認方法を説明する。
図５は実施の形態１におけるエレベーターの乗場ドア用インターロックの位置確認装置の斜視図である。
【００２９】
図５に示されるように、インターロック１７の位置の確認においては、位置確認装置２０が利用される。位置確認装置２０は、磁力発生体２０ａと突出部分検出体２０ｂとを備える。
【００３０】
磁力発生体２０ａは、前垂れ１１に磁力により吸着し得るように設けられる。例えば、磁力発生体２０ａは、永久磁石である。例えば、突出部分検出体２０ｂは、複数のピンである。複数のピンは、磁力発生体２０ａに設けられる。複数のピンは、磁力発生体２０ａの前面に水平方向に並んで設けられる。複数のピンは、磁力発生体２０ａが前垂れ１１に吸着した際に乗場３の側に突き出すように設けられる。複数のピンは、位置確認装置２０がかご６とともに鉛直方向に移動した際にインターロック１７の一対のつかみローラ１９と接触した際に倒れた状態に維持され得るように設けられる。倒れているピンの位置が一対のつかみローラ１９の位置に対応する。
【００３１】
なお、実際には、隣接したピンの間の隙間は、微小である。このため、一対のつかみローラ１９の水平方向の位置は、ミリメートルの単位で検出される。
【００３２】
次に、図６から図１１を用いて、敷居間閉塞体１３の取付方法を説明する。
図６から図８は実施の形態１におけるエレベーターの乗場ドア用インターロックの位置確認装置が適用されるエレベーターの構成図である。図９から図１１は実施の形態１におけるエレベーターの乗場ドア用インターロックの位置確認装置が適用されるエレベーターの要部の正面図である。
【００３３】
まず、図６に示されるように、位置確認装置２０が最下階において前垂れ１１に取り付けられる。その後、図７に示されるように、かご６が乗場３を低速で通過するように鉛直方向に移動する。例えば、かご６が最下階から最上階の他方へ移動した後に最上階から最下階へ移動する。
【００３４】
その後、図８に示されるように、敷居間閉塞体１３が最下階で位置確認装置２０の上方において一時的に仮固定される。その後、図９に示されるように、位置確認装置２０により検出されたインターロック１７の一対のつかみローラ１９の位置よりも予め設定された寸法だけ水平方向の両側に離れた位置において、敷居間閉塞体１３にマーキングＡが施される。
【００３５】
その後、図１０に示されるように、敷居間閉塞体１３がマーキングＡの位置で切断される。その後、図１１に示されるように、敷居間閉塞体１３においてマーキングＡよりも外側の部分が水平投影面上においてインターロック１７の位置を避けた位置に本固定される。
【００３６】
以上で説明した実施の形態１によれば、突出部分検出体２０ｂは、乗場ドア９のインターロック１７において乗場３の敷居よりも昇降路１の側に突き出した部分の水平方向の位置を検出する。このため、敷居間閉塞体１３の取付位置を容易に確認することができる。
【００３７】
具体的には、複数のピンは、インターロック１７において乗場３の敷居よりも昇降路１の側に突き出した部分と接触した際に倒れた状態に維持される。このため、簡単な構成で、敷居間閉塞体１３の取付位置を容易に確認することができる。
【００３８】
なお、突出部分検出体２０ｂとして、複数のセンサを用いてもよい。この場合、検出範囲が乗場３の側に向くように複数のセンサを水平方向に並べればよい。この場合も、敷居間閉塞体１３の取付位置を容易に確認することができる。
【００３９】
また、磁力発生体２０ａは、前垂れ１１に磁力により吸着する。このため、前垂れ１１に対して位置確認装置２０を容易に着脱することができる。
【００４０】
また、かご６が最下階から最上階へ移動した後に最上階から最下階へ移動した後、敷居間閉塞体１３にマーキングが施される。このため、全ての階の一対のつかみローラ１９の位置を考慮して、敷居間閉塞体１３を本固定することができる。その結果、全ての階において、敷居間閉塞体１３が一対のつかみローラ１９に接触することを抑制できる。
【００４１】
なお、かご６が最上階から最下階へ移動した後に最下階から最上階へ後、敷居間閉塞体１３にマーキングを施してもよい。この場合も、全ての階の一対のつかみローラ１９の位置を考慮して、敷居間閉塞体１３を本固定することができる。その結果、全ての階において、敷居間閉塞体１３が一対のつかみローラ１９に接触することを抑制できる。
【００４２】
また、図８において、敷居間閉塞体１３と位置確認装置２０との上下関係を入れ替えてもよい。この場合も、敷居間閉塞体１３の取付位置を容易に確認することができる。
【００４３】
また、実施の形態１の位置確認装置２０を機械室２のないエレベーターに適用してもよい。この場合も、敷居間閉塞体１３の取付位置を容易に確認することができる。
【符号の説明】
【００４４】
１  昇降路、  ２  機械室、  ３  乗場、  ４  巻上機、  ５  主ロープ、  ６  かご、  ７  釣合おもり、  ８  乗場敷居、  ９  乗場ドア、  １０  かご敷居、  １１  前垂れ、  １２  かごドア、  １３  敷居間閉塞体、  １３ａ  取付部、  １３ｂ  閉塞部、  １４  制御装置、  １５  パネル、  １６  ドアハンガー、  １７  インターロック、  １８  ロック片、  １９  つかみローラ、  ２０  位置確認装置、  ２０ａ  磁力発生体、  ２０ｂ  突出部分検出体
【図１】
2020164288.tif 000003
【図２】
2020164288.tif 000004
【図３】
2020164288.tif 000005
【図４】
2020164288.tif 000006
【図５】
2020164288.tif 000007
【図６】
2020164288.tif 000008
【図７】
2020164288.tif 000009
【図８】
2020164288.tif 000010
【図９】
2020164288.tif 000011
【図１０】
2020164288.tif 000012
【図１１】
2020164288.tif 000013